(57)【特許請求の範囲】
【請求項１】
フレキシブル基板に形成された回路パターンと電気部品の端子をはんだ付けにより接続するフレキシブル基板の接続方法であって、前記フレキシブル基板の接続部に開口した嵌合孔に接続治具を回路パターン側より挿入して、前記嵌合孔の開口縁を折り曲げ、次にこの状態で前記接続治具を前記端子が設けられた突出部に嵌合した後、前記接続治具のみを前記突出部より抜き出して、前記回路パターンを前記端子に圧接すると共に、次にこの状態で前記回路パターンと前記端子をはんだ付けすることを特徴とするフレキシブル基板の接続方法。
【発明の詳細な説明】
【０００１】
【発明の属する技術分野】
本発明はフレキシブル基板と電気部品の端子をはんだ付けにより接続するフレキシブル基板の接続方法に関する。
【０００２】
【従来の技術】
従来可動部を有する電子機器等においては、可動部と固定部の間をフレキシブル基板により接続して、固定部と可動部の間で信号や電力等の伝達を行っている。
【０００３】
また可動部となる電気部品には、複数の端子を備えたものがあり、これら端子とフレキシブル基板の回路パターンは、はんだ付けにより電気的に接続されており、電気部品の端子とフレキシブル基板の接続方法としては、例えば図５ないし図７に示す方法が従来から採用されている。
【０００４】
コネクタのような電気部品ａは、片面または両面に複数の端子ｂを有する突出部ｃを有している。
【０００５】
またフレキシブル基板ｄは、フイルム状の基板ｅと、この基板ｅの一方の面に形成された導電性の回路パターンｆとよりなり、フレキシブル基板ｄの一端側に設けられた接続部ｋに、電気部品ａの突出部ｃに嵌合できる長孔状の嵌合孔ｇが開口されている。
【０００６】
前記嵌合孔ｇの幅ｔ1は、予め突出部ｃの幅ｔ2より大きく、または小さく形成されていて、次のようにして電気部品ａの各端子ｂとフレキシブル基板ｄの回路パターンｆを接続している。
【０００７】
フレキシブル基板ｄの端部に開口された嵌合孔ｇの幅ｔ1が電気部品ａの突出部ｃの幅ｔ2より大きい場合は、電気部品ａの突出部ｃにフレキシブル基板ｄの嵌合孔ｇを嵌合したら、図６に示すように嵌合孔ｇの一方の開口縁ｊを突出部ｃの一方の側面に当接させた状態で、電気部品ａの端子ｂとフレキシブル基板ｄの回路パターンｆをはんだ付けしている。
【０００８】
またフレキシブル基板ｄの端部に開口された嵌合孔ｇの幅ｔ1が電気部品ａの突出部ｃの幅ｔ2より小さい場合は、電気部品ａの突出部ｃにフレキシブル基板ｄの嵌合孔ｇを嵌合すると、嵌合孔ｇの開口縁ｊが突出部ｃの両側面に沿って図８に示すように回路パターンｆ側へ折り曲げられるので、この状態で電気部品ａの端子ｂとフレキシブル基板ｄの回路パターンｆをはんだ付けしている。
【０００９】
【発明が解決しようとする課題】
しかし図６に示すように、電気部品ａの突出部ｃの幅ｔ2よりフレキシブル基板ｄの嵌合孔ｇの幅ｔ1を大きくしたものでは、電気部品ａの端子ｂとフレキシブル基板ｄの回路パターンｆをはんだ付けした際、はんだの一部が突出部ｃの側面と嵌合孔ｇの開口縁ｊとの間に生じた隙間ｈに流れ込んではんだブリッジを発生するため、はんだブリッジにより隣接する端子ｂ間が短絡する等の問題がある。
【００１０】
また図７に示すように、電気部品ａの突出部ｃの幅ｔ2よりフレキシブル基板ｄの嵌合孔ｇの幅ｔ1を小さくしたものでは、突出部ｃの側面に沿って回路パターンｆ側へ折り曲げられた開口縁ｊの厚みにより端子ｂと回路パターンｆの間に段差ｉが発生するため、この段差ｉによりはんだｍが分断されてはんだ付け不良が発生するなどの問題がある。
【００１１】
本発明はかかる従来の問題点を改善するためになされたもので、はんだブリッジやはんだ付け不良が発生することのないフレキシブル基板の接続方法を提供することを目的とするものである。
【００１２】
【課題を解決するための手段】
前記目的を達成するため本発明のフレキシブル基板の接続方法は、フレキシブル基板に形成された回路パターンと電気部品の端子をはんだ付けにより接続するフレキシブル基板の接続方法であって、フレキシブル基板の接続部に開口した嵌合孔に接続治具を回路パターン側より挿入して、嵌合孔の開口縁を折り曲げ、次にこの状態で接続治具を端子が設けられた突出部に嵌合した後、接続治具のみを突出部より抜き出して、回路パターンを端子に圧接すると共に、次にこの状態で回路パターンと端子をはんだ付けしたものである。
【００１３】
前記方法により、接続治具により嵌合孔の開口縁を折り曲げた状態で電気部品の突出部をフレキシブル基板の嵌合孔へ挿入することができるため、フレキシブル基板の接続作業が短時間で能率よく行えると共に、突出部の側面と嵌合孔の開口縁の間に隙間が生じることがないため、隙間に流れ込んだはんだによりブリッジが発生して端子間が短絡する等の従来の問題点を解消することができる上、嵌合孔の開口縁が折り曲げられても、回路パターンと端子の間に段差が生じることがないため、はんだ付け不良の発生を防止することができる。
【００１４】
【発明の実施の形態】
本発明の実施の形態を図１ないし図４に示す図面を参照して詳述する。
【００１５】
図１ないし図３は電気部品にフレキシブル基板を接続する方法を示す工程図、図４は前記接続方法により接続されたフレキシブル基板の接続構造を示す断面図である。
【００１６】
フレキシブル基板１を接続する電気部品２は、図２に示すように例えばコネクタであって、外周面に二面幅が形成された筒状の本体２ａの一端側に鍔部２ｂが突設されており、鍔部２ｂの端面に、段部２ｃを介して突出部２ｄが突設されている。
【００１７】
突出部２ｄは偏平な長方体状となっていて、両側面に複数の端子３が突出部２ｄの長手方向に間隔を存して縦方向に形成されていると共に、突出部２ｄの先端には、各端子３と導通する接点３ａが端子３と同数突設されている。
【００１８】
またフレキシブル基板１は、フイルム状の基板１ａの一方の面に導電体よりなる回路パターン１ｂが形成されている。
【００１９】
フレキシブル基板１の一端側には、電気部品２の鍔部２ｂよりやや大きい長円状の接続部１ｃが形成されていて、この接続部１ｃに突出部２ｄの幅ｔ2より幅ｔ1が小さい長孔状の嵌合孔１ｄが開口されている。
【００２０】
この嵌合孔１ｄの両端部には、嵌合孔１ｄの長辺側の開口縁１ｅが上下方向へ折り曲りやすいように切り欠き１ｆが４個所形成されていると共に、嵌合孔１ｄの開口縁１ｅには、電気部品２の各端子３と同じ配列でランド１ｇが形成されていて、これらランド１ｇは回路パターン１ｂの端部と電気的に導通されている。
【００２１】
次に電気部品２の各端子３にフレキシブル基板１の回路パターン１ｂを接続する接続方法を図１ないし図３を参照して詳述する。
【００２２】
フレキシブル基板１を電気部品２の端子３に接続するに当っては、まず図１に示すような接続治具４を用意する。
【００２３】
この接続治具４は、金属薄板等により偏平な箱形に形成されていて、幅ｔ3及び横方向の長さが電気部品２の突出部２ｄの幅ｔ2及び長さよりやや大きくなっており、接続治具４の一端側端面は、一端側よりほぼ中間部まで切り欠かれている。
【００２４】
前記接続治具４を使用してフレキシブル基板１を電気部品２の端子３に接続するに当っては、まず図１に示すように接続治具４の一端側をフレキシブル基板１の嵌合孔１ｄに、回路パターン１ｂ側から圧入する。
【００２５】
接続治具４の幅ｔ3は、予め嵌合孔１ｄの幅ｔ1より大きくなっている（ｔ1＜ｔ2＜ｔ3）ため、嵌合孔１ｄの開口縁１ｅは接続治具４によって回路パターン１ｂと反対の方向へ折り曲げられる。
【００２６】
この状態で図２に示すように接続治具４の一端側を電気部品２の突出部２ｄに先端側より挿入したら、フレキシブル基板１の接続部１ｃが抜け出さないよう押えながら接続治具４を図３に示すように上方へ引き抜く。
【００２７】
これによって嵌合孔１ｄの開口縁１ｅに形成されたランド１ｇが基板１ａの弾性により電気部品２の各端子３に図４に示すように圧接されるので、この状態でランド１ｇと端子３をはんだ付けすることにより、フレキシブル基板１の回路パターン１ｂと電気部品２の各端子３を確実に接続することができる。
【００２８】
また電気部品２の突出部２ｄ側面とフレキシブル基板１の嵌合孔１ｄの間に隙間が生じることがないため、はんだブリッジが発生することがないと共に、嵌合孔１ｄの開口縁１ｅが突出部２ｄの側面に沿って折り曲げられても、端子３とランド１ｇが直接接触する方向に折り曲げられるので、はんだを分断するような段差が生じることがないため、はんだ不良が発生することもない。
【００２９】
なお前記実施の形態では、突出部２ｄの両側に端子３が設けられた電気部品２にフレキシブル基板１を接続する場合について説明したが、突出部２ｄの片側に端子３を有する電気部品２にも同様に実施できるものである。
【００３０】
【発明の効果】
本発明は以上詳述したように、フレキシブル基板に形成された回路パターンと電気部品の端子をはんだ付けにより接続する際、フレキシブル基板の弾性を利用して回路パターンを端子に圧接し、かつこの状態で回路パターンと端子をはんだ付けするようにしたことから、フレキシブル基板の回路パターンを電気部品の端子に直接接触させた状態で回路パターンと端子をはんだ付けできるため、フレキシブル基板と電気部品の接続が容易かつ確実に行える。
【図面の簡単な説明】
【図１】  本発明の実施の形態になるフレキシブル基板の接続方法を示す工程図
【図２】  本発明の実施の形態になるフレキシブル基板の接続方法を示す工程図
【図３】  本発明の実施の形態になるフレキシブル基板の接続方法を示す工程図
【図４】  本発明の実施の形態になるフレキシブル基板の接続構造を示す断面図
【図５】  従来のフレキシブル基板の接続方法を示す説明図
【図６】  従来のフレキシブル基板の接続構造を示す説明図
【図７】  従来のフレキシブル基板の接続構造を示す説明図
【符号の説明】
１      フレキシブル基板
１ｂ    回路パターン
１ｃ    接続部
１ｄ    嵌合孔
１ｅ    開口縁
２      電気部品
２ｄ    突出部
３      端子
４      接続治具
【図１】
0003886397.tif 000002
【図２】
0003886397.tif 000003
【図３】
0003886397.tif 000004
【図４】
0003886397.tif 000005
【図５】
0003886397.tif 000006
【図６】
0003886397.tif 000007
【図７】
0003886397.tif 000008